(57)【要約】      （修正有）【課題】簡単に固定することができる導光部材を備えた発光表示装置及び発光表示装置を備える電子機器を提供する。【解決手段】筐体２と、複数の発光素子が取り付けられた基板と、筐体２と基板との間に設けられ、発光素子により発生された光を筐体２の外側に導光する導光部材４と、を備える発光表示装置１において、筐体２は、導光部材４を固定するためのボス２１を備え、導光部材４は、ボス２１が挿入されることによってボス２１と係合する係合孔部４２ａと、複数の発光素子のそれぞれに対応して設けられ、対応する発光素子により発生された光を筐体２の外側に導光する複数の導光部４１と、を備えるよう構成した。【選択図】図２
2009110593.tif 000002
【特許請求の範囲】
【請求項１】
筐体と、複数の発光素子が取り付けられた基板と、前記筐体と前記基板との間に設けられ、前記発光素子により発生された光を当該筐体の外側に導光する導光部材と、を備える発光表示装置において、
前記筐体は、前記導光部材を固定するためのボスを備え、
前記導光部材は、
前記ボスが挿入されることによって当該ボスと係合する係合孔部と、
前記複数の発光素子のそれぞれに対応して設けられ、対応する発光素子により発生された光を前記筐体の外側に導光する複数の導光部と、を備えることを特徴とする発光表示装置。
【請求項２】
請求項１に記載の発光表示装置において、
前記ボスは、
前記筐体の内面から前記基板側に突出し、
当該ボスの突出方向に垂直な方向の断面積が、当該ボスの先端側ほど小さくなるように、当該ボスの外面がテーパ状に形成され、
前記係合孔部は、前記ボスと係合した際、当該係合孔部の内面全体が前記ボスの外面と接触するようにテーパ状に形成されていることを特徴とする発光表示装置。
【請求項３】
請求項１又は２に記載の発光表示装置において、
前記筐体は、当該筐体に前記導光部材を固定する際、前記係合孔部を前記ボスとの係合位置まで案内する案内部を備えることを特徴とする発光表示装置。
【請求項４】
請求項３に記載の発光表示装置において、
前記案内部は、前記導光部材が挿入される凹部を備え、
前記凹部は、当該凹部の開口面積が、当該凹部の開口側ほど大きくなるテーパ状に形成されていることを特徴とする発光表示装置。
【請求項５】
請求項１〜４の何れか一項に記載の発光表示装置において、
前記筐体は、前記導光部材が固定された際、前記発光素子及び前記導光部同士の間に配置される仕切り部を備えることを特徴とする発光表示装置。
【請求項６】
請求項３に記載の発光表示装置において、
前記案内部は、前記導光部材が挿入される複数の凹部と、当該凹部同士の間に設けられ、前記導光部材が固定された際、前記発光素子及び前記導光部同士の間に配置される仕切り部と、を備え、
前記複数の凹部は、当該凹部の開口面積が、当該凹部の開口側ほど大きくなるテーパ状に形成されていることを特徴とする発光表示装置。
【請求項７】
筐体と、複数の発光素子が取り付けられた基板と、前記筐体と前記基板との間に設けられ、前記発光素子により発生された光を当該筐体の外側に導光する導光部材と、を備える発光表示装置において、
前記筐体は、前記導光部材を固定するためのボスを備え、
前記導光部材は、
前記ボスが挿入されることによって当該ボスと係合する係合孔部と、
前記複数の発光素子のそれぞれに対応して設けられ、対応する発光素子により発生された光を前記筐体の外側に導光する複数の導光部と、を備え、
前記ボスは、
前記筐体の内面から前記基板側に突出し、
当該ボスの突出方向に垂直な方向の断面積が、当該ボスの先端側ほど小さくなるように、当該ボスの外面がテーパ状に形成され、
前記係合孔部は、前記ボスと係合した際、当該係合孔部の内面全体が前記ボスの外面と接触するようにテーパ状に形成され、
前記筐体は、当該筐体に前記導光部材を固定する際、前記係合孔部を前記ボスとの係合位置まで案内する案内部を備え、
前記案内部は、前記導光部材が挿入される複数の凹部と、当該凹部同士の間に設けられ、前記導光部材が固定された際、前記発光素子及び前記導光部同士の間に配置される仕切り部と、を備え、
前記複数の凹部は、当該凹部の開口面積が、当該凹部の開口側ほど大きくなるテーパ状に形成されていることを特徴とする発光表示装置。
【請求項８】
請求項１〜７の何れか一項に記載の発光表示装置を備えることを特徴とする電子機器。
【発明の詳細な説明】
【技術分野】
【０００１】
本発明は、発光表示装置及び電子機器に関する。
【背景技術】
【０００２】
従来、ＬＥＤ（Light Emitting Diode）などの発光素子が発生した光を筐体の外側に導いて、電源のＯＮ／ＯＦＦや充電中であるか否かなどの作動状況等を発光表示する発光表示装置を備えた電子機器が知られている。
【０００３】
このような電子機器においては、作動の種類を区別するために、発生される光の色がそれぞれ異なる複数の発光素子（例えば、赤色の光を発生する発光素子及び緑色の光を発生する発光素子等）が備えられている場合がある。この場合、複数の発光素子が同時に発光すると、色が混ざってしまうという問題があった。
そこで、複数の発光素子（ＬＥＤ素子）のそれぞれに対応するカバー（ＬＥＤカバー）に導光部を設けるとともに、発光素子及び導光部同士の間に仕切り部（遮光壁）を設ける技術（例えば、特許文献１参照）、複数の発光素子（光源）のそれぞれに対応して複数の導光部（導光体）を設けるとともに、発光素子及び導光部同士の間に仕切り部（遮光片）を設ける技術（例えば、特許文献２参照）、複数の発光素子（ＬＥＤ）のそれぞれに対応して複数の導光部（光導管）を設ける技術（例えば、特許文献３参照）などが提案された。
【特許文献１】実開平５−３６４８３号公報
【特許文献２】特開２００７−５８９２８号公報
【特許文献３】特開平６−２０８３３０号公報
【発明の開示】
【発明が解決しようとする課題】
【０００４】
しかしながら、特許文献１〜３に記載の技術では、複数の発光素子のそれぞれに対応して複数の導光部をそれぞれ配置しなければならないため、発光表示装置の組み立ての際、煩わしいという問題がある。
また、特許文献１には、１つのカバーに複数の導光部を設ける技術が記載されているが、この技術は、発光表示装置の組み立て順序に制約があり、煩わしいという問題がある。具体的には、この技術は、複数の導光部をそれぞれ配置する必要がないものの、カバーを、筐体と発光素子が取り付けられた基板とで挟むことによって固定しているため、例えば、接着剤等でカバーを筐体（又は発光素子が取り付けられた基板）に固定しない限りは、筐体（又は発光素子が取り付けられた基板）にカバーを載置する工程の直後に発光素子が取り付けられた基板（又は筐体）でそのカバーを押さえる工程を行う必要があり、煩わしい。
【０００５】
本発明の課題は、簡単に固定することができる導光部材を備えた発光表示装置及び当該発光表示装置を備える電子機器を提供することにある。
【課題を解決するための手段】
【０００６】
上記課題を解決するために、請求項１に記載の発明は、
筐体と、複数の発光素子が取り付けられた基板と、前記筐体と前記基板との間に設けられ、前記発光素子により発生された光を当該筐体の外側に導光する導光部材と、を備える発光表示装置において、
前記筐体は、前記導光部材を固定するためのボスを備え、
前記導光部材は、
前記ボスが挿入されることによって当該ボスと係合する係合孔部と、
前記複数の発光素子のそれぞれに対応して設けられ、対応する発光素子により発生された光を前記筐体の外側に導光する複数の導光部と、を備えることを特徴とする。
【０００７】
請求項２に記載の発明は、
請求項１に記載の発光表示装置において、
前記ボスは、
前記筐体の内面から前記基板側に突出し、
当該ボスの突出方向に垂直な方向の断面積が、当該ボスの先端側ほど小さくなるように、当該ボスの外面がテーパ状に形成され、
前記係合孔部は、前記ボスと係合した際、当該係合孔部の内面全体が前記ボスの外面と接触するようにテーパ状に形成されていることを特徴とする。
【０００８】
請求項３に記載の発明は、
請求項１又は２に記載の発光表示装置において、
前記筐体は、当該筐体に前記導光部材を固定する際、前記係合孔部を前記ボスとの係合位置まで案内する案内部を備えることを特徴とする。
【０００９】
請求項４に記載の発明は、
請求項３に記載の発光表示装置において、
前記案内部は、前記導光部材が挿入される凹部を備え、
前記凹部は、当該凹部の開口面積が、当該凹部の開口側ほど大きくなるテーパ状に形成されていることを特徴とする。
【００１０】
請求項５に記載の発明は、
請求項１〜４の何れか一項に記載の発光表示装置において、
前記筐体は、前記導光部材が固定された際、前記発光素子及び前記導光部同士の間に配置される仕切り部を備えることを特徴とする。
【００１１】
請求項６に記載の発明は、
請求項３に記載の発光表示装置において、
前記案内部は、前記導光部材が挿入される複数の凹部と、当該凹部同士の間に設けられ、前記導光部材が固定された際、前記発光素子及び前記導光部同士の間に配置される仕切り部と、を備え、
前記複数の凹部は、当該凹部の開口面積が、当該凹部の開口側ほど大きくなるテーパ状に形成されていることを特徴とする。
【００１２】
請求項７に記載の発明は、
筐体と、複数の発光素子が取り付けられた基板と、前記筐体と前記基板との間に設けられ、前記発光素子により発生された光を当該筐体の外側に導光する導光部材と、を備える発光表示装置において、
前記筐体は、前記導光部材を固定するためのボスを備え、
前記導光部材は、
前記ボスが挿入されることによって当該ボスと係合する係合孔部と、
前記複数の発光素子のそれぞれに対応して設けられ、対応する発光素子により発生された光を前記筐体の外側に導光する複数の導光部と、を備え、
前記ボスは、
前記筐体の内面から前記基板側に突出し、
当該ボスの突出方向に垂直な方向の断面積が、当該ボスの先端側ほど小さくなるように、当該ボスの外面がテーパ状に形成され、
前記係合孔部は、前記ボスと係合した際、当該係合孔部の内面全体が前記ボスの外面と接触するようにテーパ状に形成され、
前記筐体は、当該筐体に前記導光部材を固定する際、前記係合孔部を前記ボスとの係合位置まで案内する案内部を備え、
前記案内部は、前記導光部材が挿入される複数の凹部と、当該凹部同士の間に設けられ、前記導光部材が固定された際、前記発光素子及び前記導光部同士の間に配置される仕切り部と、を備え、
前記複数の凹部は、当該凹部の開口面積が、当該凹部の開口側ほど大きくなるテーパ状に形成されていることを特徴とする。
【００１３】
請求項８に記載の発明は、
電子機器において、
請求項１〜７の何れか一項に記載の発光表示装置を備えることを特徴とする。
【発明の効果】
【００１４】
本発明によれば、筐体と、複数の発光素子が取り付けられた基板と、筐体と基板との間に設けられ、発光素子により発生された光を当該筐体の外側に導光する導光部材と、を備える発光表示装置及び当該発光表示装置を備える電子機器において、筐体は、導光部材を固定するためのボスを備え、導光部材は、ボスが挿入されることによって当該ボスと係合する係合孔部と、複数の発光素子のそれぞれに対応して設けられ、対応する発光素子により発生された光を筐体の外側に導光する複数の導光部と、を備えている。
すなわち、導光部材は、係合孔部にボスを挿入させるだけで筐体に固定することができるため、簡単に固定することができる。
【発明を実施するための最良の形態】
【００１５】
以下、図を参照して、本発明にかかる発光表示装置及び電子機器の最良の形態を詳細に説明する。なお、発明の範囲は、図示例に限定されない。
本実施の形態では、電子機器としてポータブルナビゲーション装置を例示して説明することとする。
【００１６】
＜ポータブルナビゲーション装置＞
図１に、ポータブルナビゲーション装置Ｅの正面図を示す。
なお、以下の説明では、ポータブルナビゲーション装置Ｅの使用時に、ユーザが見る側（すなわち、表示部が配置された側）を前側（正面側）とし、前側に対向する側を後側（背面側）とするとともに、ユーザから見て上、下、左及び右になる側をそれぞれ上側、下側、左側及び右側とする。
【００１７】
ポータブルナビゲーション装置Ｅは、例えば、携帯及び車載可能に構成されたポータブル型のカーナビゲーション装置である。
ポータブルナビゲーション装置Ｅは、例えば、図１に示すように、筐体内に、ポータブルナビゲーション装置Ｅの前面から光を放出する発光表示装置１を備えている。
【００１８】
＜発光表示装置＞
（発光表示装置の構成）
図２に、基板３を備えていない状態の発光表示装置１の背面斜視図であって、筐体２に導光部材４を取り付けた状態を表したものを示す。
図３に、図２のIII−III断面図を示し、図４に、図２のIV−IV断面図を示し、図５に、図２のV−V断面図を示す。図３〜図５においては、基板３を仮想線（二点鎖線）で示している。
また、図６に、基板３を備えていない状態の発光表示装置１の背面斜視図であって、筐体２に導光部材４を取り付けていない状態を表したものを示す。
図７に、導光部材４の背面図（ａ）と、導光部材４の平面図（ｂ）と、導光部材４の右側面図（ｃ）と、を示し、図８に、導光部材４の背面斜視図（ａ）と、導光部材４の正面斜視図（ｂ）と、を示す。
また、図９に、図４における一点鎖線で囲った領域（ボス２１及び係合孔部４２ａの近傍）の拡大図を示す。
【００１９】
発光表示装置１は、例えば、筐体２と、２つの発光素子３１，３１が取り付けられた基板３と、筐体２と基板３との間に設けられ、発光素子３１，３１により発生された光を筐体２の外側に導光する導光部材４と、などを備えて構成される。
【００２０】
筐体２は、例えば、ポータブルナビゲーション装置Ｅの前面側の筐体であり、例えば、導光部材４を固定するための２つのボス２１，２１と、発光素子３１，３１により発生された光を筐体２の外側に放出するための２つの貫通孔部２２，２２と、筐体２に導光部材４を固定する際、係合孔部４２ａ，４２ａをボス２１，２１との係合位置まで案内する案内部２３と、などを備えて構成される。
【００２１】
ボス２１は、例えば、筐体２の内面から基板３側（後側）に突出するよう形成されている。ボス２１は、例えば、ボス２１の突出方向（前後方向）に垂直な方向の断面が略円形状となるよう形成されている。ボス２１は、例えば、図９に示すように、ボス２１の突出方向に垂直な方向の断面積が、ボス２１の先端側（後側）ほど小さくなるように、ボス２１の外面がテーパ状に形成されている。
【００２２】
貫通孔部２２は、例えば、導光部材４の導光部４１が挿入可能に、筐体２の前後方向に貫通するよう形成されている。貫通孔部２２は、例えば、貫通孔部２２の貫通方向（前後方向）に垂直な方向の断面が略円形状となるよう形成されている。
【００２３】
案内部２３は、例えば、導光部材４が挿入可能に、筐体２の内面から基板３側に突出するよう形成されている。
具体的には、案内部２３は、例えば、上下方向に沿って各々離間して設けられた第１突出部２３ａ１、第２突出部２３ａ２及び第３突出部２３ａ３を備えており、第１突出部２３ａ１と第２突出部２３ａ２との間に第１凹部２３ｂ１が形成され、第２突出部２３ａ２と第３突出部２３ａ３との間に第２凹部２３ｂ２が形成されている。
【００２４】
第１凹部２３ｂ１及び第２凹部２３ｂ２は、導光部材４が挿入される複数の凹部として機能する。
具体的には、第１凹部２３ｂ１及び第２凹部２３ｂ２の左右方向の長さは、例えば、導光部材４の隙間部４４の左右方向の長さ（すなわち、２つの固定部４２，４２同士の間の距離）と略同等又はそれ以下となるよう設定されている。
また、第１凹部２３ｂ１及び第２凹部２３ｂ２の底面の上下方向の長さは、例えば、導光部材４の連結部４３の上下方向の長さと略同等又はそれ以上となるよう設定されている。そして、第１凹部２３ｂ１は、第１凹部２３ｂ１の開口面積が、第１凹部２３ｂ１の開口側ほど大きくなるテーパ状に形成されており、第２凹部２３ｂ２は、第２凹部２３ｂ２の開口面積が、第２凹部２３ｂ２の開口側ほど大きくなるテーパ状に形成されている。
【００２５】
第２突出部２３ａ２は、凹部同士の間（第１凹部２３ｂ１と第２凹部２３ｂ２との間）に設けられ、導光部材４が固定された際、発光素子３１，３１及び導光部４１，４１同士の間（すなわち、一方の発光素子３１及び導光部４１と他方の発光素子３１及び導光部４１との間）に配置される仕切り部として機能する。
具体的には、第２突出部２３ａ２は、例えば、第２突出部２３ａ２の突出方向（前後方向）に垂直な方向の断面が略矩形状となるよう形成されている。第２突出部２３ａ２の左右方向の長さは、例えば、導光部材４の隙間部４４の左右方向の長さ（すなわち、導光部材４の２つの固定部４２，４２同士の間の距離）と略同等又はそれ以下となるよう設定されている。第２突出部２３ａ２の上下方向の長さは、例えば、導光部材４の隙間部４４の上下方向の長さ（すなわち、導光部材４の２つの連結部４３，４３同士の間の距離）と略同等又はそれ以下となるよう設定されている。第２突出部２３ａ２の前後方向の長さは、例えば、基板３を筐体２に固定した状態において、第２突出部２３ａ２の後面が基板３の前面と接触するよう設定されている。
【００２６】
基板３は、例えば、ポータブルナビゲーション装置Ｅの基板である。
基板３には、例えば、基板３を筐体２に固定した状態において２つの貫通孔部２２，２２のそれぞれに対向する位置に、２種類の発光素子３１，３１が取り付けられている。
【００２７】
２種類の発光素子３１，３１のうちの一方は、例えば、赤色の光を発光するＬＥＤであり、例えば、ポータブルナビゲーション装置Ｅの電源がＯＮのときに発光するようになっている。２種類の発光素子３１，３１のうちの他方は、例えば、緑色の光を発光するＬＥＤであり、例えば、ポータブルナビゲーション装置Ｅが充電中のときに発光するようになっている。
【００２８】
導光部材４は、例えば、発光素子３１，３１により発生された光を筐体２の外側に導光するための部材である。
導光部材４は、例えば、背面視略矩形の平板形状に形成され、ボス２１と係合して筐体２に固定される一対の固定部４２，４２と、各々の固定部４２の対向側の端部に当該固定部４２を貫通するように前面及び後面から突出して設けられ、光を筐体２の外側に導光する２つの導光部４１，４１と、導光部４１，４１を挟むように設けられ、固定部４２同士を連結する一対の連結部４３，４３と、固定部４２，４２間に設けられ、前後方向に貫通した隙間部４４と、などを備えて構成される。
【００２９】
導光部４１は、２つの発光素子３１，３１のそれぞれに対応して設けられ、対応する発光素子３１により発生された光を筐体２の外側に導光する。導光部４１は、例えば、導光部４１の突出方向（前後方向）に垂直な方向の断面が略円形状となるよう形成されている。
【００３０】
固定部４２は、固定部４２の対向側の端部と反対側の端部に、例えば、ボス２１が挿入されることによってボス２１と係合する係合孔部４２ａと、係合孔部４２ａの上下端部に、係合孔部４２ａと一体的に形成され、上下方向に長尺な長孔部４２ｂ，４２ｂと、が設けられている。
具体的には、右側に配置される導光部４１が貫通する固定部４２は、例えば、その導光部４１が貫通する位置よりも右側に係合孔部４２ａ及び長孔部４２ｂ，４２ｂを有している。また、左側に配置される導光部４１が貫通する固定部４２は、例えば、その導光部４１が貫通する位置よりも左側に係合孔部４２ａ及び長孔部４２ｂ，４２ｂを有している。
【００３１】
長孔部４２ｂは、例えば、固定部４２の前後方向に貫通するよう形成されている。長孔部４２ｂの幅（左右方向）の長さは、係合孔部４２ａの直径よりも小さくなるよう設定されている。
【００３２】
係合孔部４２ａは、例えば、ボス２１が挿入可能に、固定部４２の前後方向に貫通するよう形成されている。係合孔部４２ａは、例えば、係合孔部４２ａの貫通方向（前後方向）に垂直な方向の断面が略円形状となるよう形成されている。係合孔部４２ａは、例えば、図９に示すように、ボス２１と係合した際、係合孔部４２ａの内面全体がボス２１の外面と接触するようにテーパ状に形成されている。
係合孔部４２ａの前端の直径は、例えば、ボス２１の基端（前端）の直径よりも小さくなるよう設定されている。係合孔部４２ａにボス２１を圧入すると、長孔部４２ｂ，４２ｂの影響によって係合孔部４２ａが左右方向に拡がり、係合孔部４１ａにボス２１が挿入できるようになる。これによって、導光部材４を確実に筐体２に固定できるようになっている。
【００３３】
連結部４３は、例えば、平面視略逆Ｕ字形状に形成されており、固定部４２の後面における各々の固定部４２の対向側の端部において固定部４２と結合している。
連結部４３の後方向の高さ（すなわち、固定部４２の後面側における、連結部４３の前端（基端）から連結部４３の後端（先端）までの長さ）は、導光部４１の後方向の高さ（すなわち、固定部４２の後面側における、導光部４１の前端（基端）から導光部４１の後端（先端）までの長さ）よりも高くなるよう設定されている。連結部４３の後端には平面部が形成されており、この平面部に基板３が載置されることによって、連結部４３は、基板３を支えるようになっている。
【００３４】
（導光部材の取付方法）
導光部材４を筐体２に取り付ける方法について説明する。
【００３５】
まず、導光部材４の隙間部４４に筐体２の第２突出部２３ａ２を挿入することによって、案内部２３の第１凹部２３ｂ１及び第２凹部２３ｂ２に導光部材４を挿入し、案内部２３に導光部材４の係合孔部４２ａを筐体２のボス２１との係合位置まで案内させる。
ここで、第１凹部２３ｂ１及び第２凹部２３ｂ２はテーパ状に形成されているため、第１凹部２３ｂ１及び第２凹部２３ｂ２に導光部材４を容易に挿入することができるようになっている。
【００３６】
次いで、導光部材４の係合孔部４２ａに筐体２のボス２１を挿入（圧入）することによって、係合孔部４２ａとボス２１とを係合させる。
ここで、ボス２１の外面及び係合孔部４２ａの内面はテーパ状に形成されているため、係合孔部４２ａにボス２１を容易に挿入することができるようになっている。また、係合孔部４２ａの前端の直径は、ボス２１の前端の直径よりも小さくなるよう設定されているため、係合孔部４２ａにボス２１を圧入し、長孔部４２ｂ，４２ｂの影響によって係合孔部４２ａを左右方向に拡がらせることによって、係合孔部４１ａにボス２１を挿入することになるので、導光部材４を確実に筐体２に固定できるようになっている。
【００３７】
以上説明した本発明のポータブルナビゲーション装置Ｅ及び発光表示装置１によれば、発光表示装置１は、筐体２と、２つの発光素子３１，３１が取り付けられた基板３と、筐体２と基板３との間に設けられ、発光素子３１，３１により発生された光を筐体２の外側に導光する導光部材４と、を備え、筐体２は、導光部材４を固定するためのボス２１，２１を備え、導光部材４は、ボス２１が挿入されることによってボス２１と係合する係合孔部４２ａ，４２ａと、２つの発光素子３１，３１のそれぞれに対応して設けられ、対応する発光素子３１により発生された光を筐体２の外側に導光する２つの導光部４１，４１と、を備えている。
すなわち、導光部材４は、係合孔部４２ａ，４２ａにボス２１，２１を挿入させるだけで筐体２に固定することができるため、簡単に固定することができる。
【００３８】
また、本発明のポータブルナビゲーション装置Ｅ及び発光表示装置１によれば、ボス２１は、筐体２の内面から基板３側に突出し、ボス２１の突出方向に垂直な方向の断面積が、ボス２１の先端側ほど小さくなるように、ボス２１の外面がテーパ状に形成され、係合孔部４２ａは、ボス２１と係合した際、係合孔部４２ａの内面全体がボス２１の外面と接触するようにテーパ状に形成されている。
したがって、係合孔部４２ａ，４２ａにボス２１，２１を容易且つ確実に挿入することができることとなって、より一層、導光部材４を簡単に固定することができる。
【００３９】
また、本発明のポータブルナビゲーション装置Ｅ及び発光表示装置１によれば、筐体２は、筐体２に導光部材４を固定する際、係合孔部４２ａ，４２ａをボス２１，２１との係合位置まで案内する案内部４３を備えている。
したがって、係合孔部４２ａ，４２ａにボス２１，２１を容易且つ確実に挿入することができることとなって、より一層、導光部材４を簡単に固定することができる。
【００４０】
また、本発明のポータブルナビゲーション装置Ｅ及び発光表示装置１によれば、案内部４３は、導光部材４が挿入される第１凹部２３ｂ１及び第２凹部２３ｂ２を備え、第１凹部２３ｂ１及び第２凹部２３ｂ２は、第１凹部２３ｂ１及び第２凹部２３ｂ２の開口面積が、第１凹部２３ｂ１及び第２凹部２３ｂ２の開口側ほど大きくなるテーパ状に形成されている。
したがって、係合孔部４２ａ，４２ａにボス２１，２１を容易且つ確実に挿入することができることとなって、より一層、導光部材４を簡単に固定することができる。
【００４１】
また、本発明のポータブルナビゲーション装置Ｅ及び発光表示装置１によれば、第１凹部２３ｂ１及び第２凹部２３ｂ２の間に、筐体２に導光部材４が固定された際、発光素子３１，３１及び導光部４１，４１同士の間に配置される第２突出部２３ａ２を備えている。
すなわち、第２突出部２３ａ２が仕切り部として機能するため、一の発光素子３１から発光された光の色と、他の発光素子３１から発光された光の色と、が混ざってしまうことを確実の防止することができる。
【００４２】
なお、本発明は、上記した実施の形態のものに限るものではなく、その要旨を逸脱しない範囲で適宜変更可能である。
【００４３】
具体的には、電子機器は、ポータブルナビゲーション装置Ｅに限るものではなく、発光表示装置１を備える電子機器であれば任意である。
【００４４】
また、発光表示装置１が備える発光素子３１の個数は、２つに限るものではなく、複数であれば任意である。発光素子３１の個数に応じて、導光部４１や仕切り部（第２突出部２３ａ２）などの個数も適宜変更可能である。
発光表示装置１に備える発光素子３１が発生する光の色は、赤色及び緑色に限るものではなく任意である。
【００４５】
また、発光表示装置１が備えるボス２１、係合孔部４２ａ、連結部４３などの個数や、発光表示装置１が備えるボス２１、貫通孔部２２、案内部２３、導光部４１、固定部４２、係合孔部４２ａ、連結部４３などの形状は、上記した実施の形態のものに限るものではなく、任意である。
【００４６】
また、案内部２３の一部（第２突出部２３ａ２）を仕切り部として機能させたが、仕切り部は、一の発光素子３１から発光された光の色と、他の発光素子３１から発光された光の色と、が混ざってしまうことを防止できるのであれば、案内部２３とは別の部材であっても良い。
【図面の簡単な説明】
【００４７】
【図１】本発明のポータブルナビゲーション装置の正面図を示す。
【図２】基板を備えていない状態の本発明の発光表示装置の背面斜視図であって、筐体に導光部材を取り付けた状態を表したものを示す。
【図３】図２のIII−III断面図を示す。
【図４】図２のIV−IV断面図を示す。
【図５】図２のV−V断面図を示す。
【図６】基板を備えていない状態の本発明の発光表示装置の背面斜視図であって、筐体に導光部材を取り付けていない状態を表したものを示す。
【図７】導光部材の背面図（ａ）と、導光部材の平面図（ｂ）と、導光部材の右側面図（ｃ）と、を示す。
【図８】導光部材の背面斜視図（ａ）と、導光部材の正面斜視図（ｂ）と、を示す。
【図９】図４における一点鎖線で囲った領域の拡大図を示す。
【符号の説明】
【００４８】
１  発光表示装置
２  筐体
３  基板
４  導光部材
２１  ボス
２３  案内部
２３ａ２  第２突出部（仕切り部）
２３ｂ１  第１凹部（凹部）
２３ｂ２  第２凹部（凹部）
３１  発光素子
４１  導光部
４２ａ  係合孔部
Ｅ  ポータブルナビゲーション装置（電子機器）
【図１】
2009110593.tif 000003
【図２】
2009110593.tif 000004
【図３】
2009110593.tif 000005
【図４】
2009110593.tif 000006
【図５】
2009110593.tif 000007
【図６】
2009110593.tif 000008
【図７】
2009110593.tif 000009
【図８】
2009110593.tif 000010
【図９】
2009110593.tif 000011